(57)【特許請求の範囲】
【請求項１】
第１の電圧相銅バーと第２の電圧相銅バーが並設されると共に、双方の電圧相銅バーの前面に中性相銅バーが併走配置され、前記第１或いは第２の電圧相銅バーの少なくとも１側に分岐ブレーカを複数列設し、該分岐ブレーカの２つの入力端子のうち、一方の入力端子を一方の電圧相銅バーから延設形成された接続部に接続して、他方の入力端子を接続部材を介して他の電圧相銅バー或いは中性相銅バーに選択接続可能として、分岐電圧の切換を可能とする分電盤の電圧切換構造であって、
前記接続部材は分岐ブレーカの入力端子に挿入接続する結合部と銅バーに接続する切換接続部とを有し、前記結合部を回転軸として回転させることで連結する銅バーを切換可能とし、前記接続部材を両端で軸支するよう前記回転軸を延設した結合部の対向位置に軸部を設けると共に、該軸部を軸支する軸支部を、中性相銅バーの裏面に沿って延設した支持部材に形成したことを特徴とする分電盤の電圧切換構造。
【請求項２】
前記軸支部が、前記軸部を挿入支持する孔である請求項１記載の分電盤の電圧切換構造。
【発明の詳細な説明】
【０００１】
【発明の属する技術分野】
本発明は、分電盤の電圧切換構造、詳しくは住宅用分電盤において、分岐出力の１００Ｖ／２００Ｖ切換を行う電圧切換構造の改良に関する。
【０００２】
【従来の技術】
従来の住宅用分電盤の１００Ｖ／２００Ｖの電圧切換構造には、例えば特開平６−１５３３３９号公報に記載された構成のものがあり、この切換構造は図３に示すよう構成されている。図において、２０は中性相銅バー、２１は電圧切換操作をする接続部材、２２は接続部材２１の回転軸でもあるブレーカ結合部、２３は充電部を支持している充電部ベース、２５は一方の電圧相銅バーの接続部である。
図示するように、接続部材２１は、分岐ブレーカに接続するブレーカ結合部２２を一端に有し、他端に電圧相銅バー或いは中性相銅バーにねじ止めする銅バー接続部２１ａを有している。そして、ブレーカ結合部２２を分岐ブレーカの接続端子に配置した状態で回転操作することで、他端の銅バー接続部２１ａの接続位置を図示上下方向に移動させて、接続する銅バーの切換を可能としている。
そして、この回転操作をスムーズにできるように、また、切換操作の際に接続部材が接続端子から抜け落ちないように、接続部材は回転軸であるブレーカ結合部２２の基部を充電部ベース２３から伸ばして形成した回転軸受２４に支持させ、保持させていた。
【０００３】
【発明が解決しようとする課題】
しかし、上記構成の場合、回転する接続部材２１の軸部を上から回転軸受２４にはめ込む構造のため、軸受の形状を完全な円筒状にすることができず、スムーズな回転操作を行うまでには至らなかった。また、回転軸の一端のみ軸支する構造のため不安定であり切換操作の際に外れることもあり、回転軸受けを設けることで切換時の回転操作は改良されたものの充分満足のいくものではなかった。
そこで、本発明は上記問題点に鑑み、接続部材の回転操作をスムーズにできると共に、接続部材が外れることのない分電盤の電圧切換構造を提供することを課題とする。
【０００４】
【課題を解決するための手段】
上記課題を解決するため、請求項１の発明は、第１の電圧相銅バーと第２の電圧相銅バーが並設されると共に、双方の電圧相銅バーの前面に中性相銅バーが併走配置され、前記第１或いは第２の電圧相銅バーの少なくとも１側に分岐ブレーカを複数列設し、該分岐ブレーカの２つの入力端子のうち、一方の入力端子を一方の電圧相銅バーから延設形成された接続部に接続して、他方の入力端子を接続部材を介して他の電圧相銅バー或いは中性相銅バーに選択接続可能として、分岐電圧の切換を可能とする分電盤の電圧切換構造であって、前記接続部材は分岐ブレーカの入力端子に挿入接続する結合部と銅バーに接続する切換接続部とを有し、前記結合部を回転軸として回転させることで連結する銅バーを切換可能とし、前記接続部材を両端で軸支するよう前記回転軸を延設した結合部の対向位置に軸部を設けると共に、該軸部を軸支する軸支部を、中性相銅バーの裏面に沿って延設した支持部材に形成したことを特徴とする。
【０００６】
請求項２の発明は、請求項１の発明において、前記軸支部が、前記軸部を挿入支持する孔であることを特徴とする。
【０００７】
【発明の実施の形態】
以下、本発明を具体化した実施の形態を、図面に基づいて詳細に説明する。図１は本発明に係る分電盤の電圧切換構造を示すブレーカ装着部から銅バーを見た側面説明図であり、図２は要部の分解斜視図である。図において、１は中性相銅バー、２は第１の電圧相銅バーの挿入接続部、３は第２の電圧相銅バーの接続部、７は各銅バーを支持する充電部ベースであり、８は分岐ブレーカを示している。
また、４は切換接続する接続部材、５は接続部材４を軸支する軸支部６を有する支持部材である。
【０００８】
第１及び第２の電圧相銅バー（図示せず）とも分電盤奥部となる図１視下部に並行に配置され、中性相銅バー１は２本の電圧相銅バーの手前となる図１視上部に電圧相銅バーに併走配置されている。また、第１の電圧相銅バーの挿入接続部２，２・・は、銅バーに沿って併設された複数の分岐ブレーカ８，８・・の入力端子位置まで伸ばして形成され、分岐ブレーカを所定位置に装着した際に、その入力端子に挿入接続されるよう配置されている。
【０００９】
一方、第２の電圧相銅バーの接続部３，３・・は、接続部材４を介して分岐ブレーカ８の他方の入力端子に接続されるよう配置され、接続ねじ螺着用の雌ねじ３ａが形成されている。また、中性相銅バー１には各分岐ブレーカ８に対応する側部に接続部材４に連結する接続部１１が左右に突設され、接続ねじを螺入する雌ねじ１１ａが形成されている。
尚、図１視裏面側となる銅バーの他方側部にも銅バーに沿って複数の分岐ブレーカが併設され、それらは第２の電圧相銅バーから延びた挿入接続部が、分岐ブレーカを装着した際に一方の入力端子に挿入接続されるように形成され、他方の入力端子は第１の電圧相銅バーから延びた接続部或いは中性相銅バーの接続部に接続部材を介して接続されるようになっている。
【００１０】
接続部材４は、金属板をＬ字状に折り曲げて形成され、折り曲げた一方が銅バーに接続する切換接続部４ａであり、その中央に連結用ねじ９を挿通する透孔４ｂが穿設されている。また、他方の端部には分岐ブレーカ８の端子に挿入結合する棒状の結合部４ｃが側方に突設され、その反対端にはその結合部４ｃと同一軸を成すように支持部材５に軸支される軸部４ｄが対向配置され形成されている。
【００１１】
支持部材５は、中性相銅バー１と第１及び第２の電圧相銅バーの間に配置され、中性相銅バー１と略同一の長さを有すると共に、第１及び第２の電圧相銅バーと中性相銅バーの間の隙間を埋める厚さを有し、樹脂成形により形成されている。また、支持部材５の中性相銅バー当接面の長手方向両端には爪部１２，１２が突設されると共に、対応する中性相銅バー１には係止孔１３，１３が設けられ、爪部１２を係止孔１３に係止させて固定されている。そして、装着した分岐ブレーカ８の端子正面位置となる部位に丸穴を有した円筒状の軸支部６が形成されている。
【００１２】
次に、上記電圧切換構造の組み付け及び切換操作手順を説明する。先ず、支持部材５は中性相銅バー１を分電盤に組み付ける際に中性相銅バー１に装着する。また、接続部材４は分岐ブレーカ８を分電盤に装着する際にブレーカ入力端子と支持部材５の軸支部６に結合部４ｃ及び軸部４ｄを挿入して装着する。次に、分岐回路の要求電圧に応じて接続部材４を回動操作し、切換接続部４ａを中性相銅バー１の接続部１１、或いは第２の電圧相銅バーの接続部３の何れかに合致させ、ねじ止めする。尚、中性相銅バー１の接続部１１と第２の電圧相銅バーの接続部３とは図１に示すように、接続部材４の回動操作により各々の接続部が合致するよう配置されている。
【００１３】
このように、接続部材を分岐ブレーカ組み付け時に、分岐ブレーカ接続部を一端とする回転軸の両端を軸支するので、回転操作をスムーズに行うことができる。また、支持部材に形成した軸支部は穴形状であり、ブレーカ接続部と合わせて接続部材を挿入軸支するので外れることもない。従って、電圧切換操作を簡単にに行うことができる。
また、支持部材は、中性相銅バーの長さ方向に渡り裏面に装着されることで、電圧相銅バーの上方の浮かせた状態で固定される中性相銅バーの剛性を高める効果を奏し、中性相銅バーへのネジ締め作業等がし易くなるし、支持部材の奥行きを電圧相銅バー或いは電圧相銅バーの支持固定部材に当接する位置まで伸ばして隙間を埋めるように設けることで、中性相銅バーの完全な支持固定部材にもなる。
【００１４】
尚、上記実施の形態では支持部材の軸支部を円筒形状として丸穴を設けているが、四角形等の多角形の孔としても良いし、回転軸の移動が可能なように三日月型に形成しても良く、軸支部の形状によって接続部材の回転の感触を調整することができるし、回転の動きに加えて軸を偏心させて動かすことを可能としても良い。また、支持部材は中性相銅バーの全長に渡り伸ばした１個の部材として形成しているが、分割して１個を短く形成し、中性相銅バーの長さに合わせて装着個数を変えて対応させるようにすることもでき、この場合中性相銅バーの種類と同数の種類の支持部材を揃える必要が無くなる。また、支持部材は爪部を中性相銅バーに係止して装着しているが、中性相銅バーにねじ止めしても良い。その他、本発明の趣旨を逸脱しない範囲で、各部の形状並びに構成を適宜変更して具体化することも可能である。
【００１５】
【発明の効果】
以上詳述したように、請求項１の発明によれば、接続部材の回転軸左右両端を軸支するので、回転操作をスムーズに行えるし、支持部材により中性相銅バーの剛性を高めることができ、電圧切換作業等のねじ締め作業がし易い。
また、請求項２の発明によれば、請求項１の効果に加えて接続部材の回転軸部が外れることがないので、電圧切換操作が簡単である。
【図面の簡単な説明】
【図１】本発明に係る分電盤の電圧切換構造の実施の形態の一例を示し、ブレーカ装着部から銅バーを見た側面説明図である。
【図２】図１の要部分解斜視図である。
【図３】従来の分電盤の電圧切換構造を示す要部断面説明図でる。
【符号の説明】
１・・中性相銅バー、２・・第１の電圧相銅バーの挿入接続部、３・・第２の電圧相銅バーの接続部、４・・接続部材、４ａ・・切換接続部、４ｃ・・結合部、４ｄ・・軸部、５・・支持部材、６・・軸支部、８・・分岐ブレーカ、１１・・接合部。
【図１】
0004515624.tif 000002
【図２】
0004515624.tif 000003
【図３】
0004515624.tif 000004